(57)【要約】      （修正有）【課題】飲料後の紙容器をリサイクルする際に、紙容器を容易に平板状に展開するための切断展開表示を備える屋根型紙容器を提供する。【解決手段】屋根型紙容器に切断位置表示の点線Ｐ１−５、切断方向表示の矢印Ｑ、切断順位表示Ｒの数字を表示する。屋根型紙容器の側面６ａの無印刷領域に頂面５から側面６ａの下端に至って点線Ｐ１が表示され、側面６ａに連続するシール部５ａには点線Ｐ１の近傍に切断方向表示Ｑを示す「矢印↓」と、切断順番表示Ｒを示す数字「１」が印刷される。同様に、側面６ａの下端の底部に沿って点線Ｐ２が表示され、始端部に「矢印→」と数字「２」が印刷される。点線Ｐ１の延長上に点線Ｐ３が表示され始端部に「矢印↓」と数字「３」が印刷される。さらに、底部には側面６ｃに沿って点線Ｐ４が表示され、「矢印←」と数字「４」が印刷される。【選択図】図１
2013136386.tif 000002
【特許請求の範囲】
【請求項１】
シート状の紙基材を縦シール部で矩形筒状にして成る筒状包材の下端部を折畳んで底部を形成し内容液を充填後に上端部を折畳んで屋根型頂部が形成される紙容器をリサイクル時に平板状に展開する際の切断展開表示を備える屋根型紙容器であって、
前記切断展開表示は切断位置表示と切断方向表示と切断順番表示とを備え、前記切断位置表示は前記縦シール部に固着した側面の頂面から底面に至る点線で表示され、さらに、前記点線は前記底面の三辺の外周縁に沿って表示することを特徴とする屋根型紙容器。
【請求項２】
前記縦シール部に固着する側面と前記底面の三辺にそれぞれ表示される前記点線の始点近傍に前記切断方向表示としての矢印を表示する、請求項１に記載の屋根型紙容器。
【請求項３】
前記矢印の近傍にリ、サ、イ、クルの各文字、叉は１、２、３、４の各数字をそれぞれ一個毎順番に表示する、請求項２に記載の屋根型紙容器。
【請求項４】
前記縦シール部に固着する側面に表示される前記点線は前記側面の端部に沿って備える無印刷領域に表示する、請求項１乃至請求項３のいずれか一項に記載の屋根型紙容器。
【請求項５】
前記点線を印刷した前記無印刷領域を前記無印刷領域の近傍の色と同等色で引き剥がし容易なフィルムで覆う、請求項４に記載の屋根型紙容器。
【発明の詳細な説明】
【技術分野】
【０００１】
本発明は、液体食品を充填する屋根型紙容器に関し、詳しくは内溶液を飲用後にリサイクルする際の切断展開が容易な屋根型紙容器に関する。
【背景技術】
【０００２】
従来、ジュース、牛乳等の液体食品などの内溶液を充填する屋根型紙容器の充填装置に関する従来技術として特許文献１の内容が知られている。特許文献１によれば、図９に示すように、屋根型紙容器２０は４側面２１から成る矩形筒状部と頂部２２と底部２４とで形成される。
【０００３】
紙容器をリサイクルする際に紙容器が嵩張らないようにするため、内溶液を消費した後に紙容器をシート状に切って広げるための詳細図示しない容器展開説明２５が側面２１に印刷されている。
【先行技術文献】
【特許文献】
【０００４】
【特許文献１】特開２０１０−１９５４０１号公報
【発明の概要】
【発明が解決しようとする課題】
【０００５】
従来の容器展開説明２５を見ただけでは実際に紙容器の何処を切るのかが具体的に理解できないため、紙容器をシート状にしないで廃棄する場合が多く、紙容器のリサイクル回収効果が十分に上がっていないという問題があった。
【０００６】
本発明は、既存の紙容器の仕様を変えることなく、従来の屋根型紙容器のリサイクルの問題点を解決して、消費者が紙容器そのものを見て容器展開方法が確実且つ容易に理解できてリサイクルが促進する紙容器を提供することを目的とする。
【課題を解決するための手段】
【０００７】
本発明の屋根型紙容器は、シート状の紙基材を縦シール部で矩形筒状にして成る筒状包材の下端部を折畳んで底部を形成し内容液を充填後に上端部を折畳んで屋根型頂部が形成される紙容器をリサイクル時に平板状に展開する際の切断展開表示を備える屋根型紙容器である。そして、切断展開表示は切断位置表示と切断方向表示と切断順番表示とを備え、切断位置表示は縦シール部に固着する側面の頂面から底面に至る点線で表示され、さらに、点線は底面の三辺の外周縁に沿って表示することを特徴としている。
【０００８】
この発明の好ましい態様において、縦シール部に固着する側面と底面の三辺にそれぞれ表示される点線の始点近傍に切断方向表示としての矢印を表示することを特徴としている。
【０００９】
この発明の好ましい態様において、矢印の近傍にリ、サ、イ、クルの各文字、叉は１、２、３、４の各数字をそれぞれ一個毎順番に表示することを特徴としている。
【００１０】
この発明の好ましい態様において、縦シール部に固着する側面に表示される点線は側面の端部に沿って備える無印刷領域に表示することを特徴としている。
【００１１】
この発明の好ましい態様において、点線を印刷した無印刷領域を無印刷領域の近傍の色と同等色で引き剥がし容易なフィルムで覆うことを特徴している。
【発明の効果】
【００１２】
上記構成の本発明によれば、以下の作用機能を発揮し、有利な効果が得られる。
この発明によれば、切断展開表示は切断位置表示と切断方向表示と切断順番表示とを備えるので、消費者が飲用後にリサイクルする方法が容易に理解できるので、表示に沿って容易且つ確実に紙容器を切断して一枚のシート状に切り広げることができる。また、切断位置表示は縦シール部に固着した側面の頂面から底面の三辺の外周縁に至って表示するので、この点線に沿って間違いなく紙容器を切断して一枚のシート状に切り広げることができる。このように、紙容器の容積を確実に最小化できるので使用済みの保管スペースの効率とリサイクル効率が確実に向上する。
【００１３】
この発明の好ましい態様において、縦シール部に固着する側面と底面の三辺にそれぞれ表示される点線の始点近傍に切断方向表示としての矢印を表示するので、切断作業手順が明確でこの矢印の示す方向に簡単に間違いなく進めることができる。このため、請求項１の効果と同様の効果を確実且つ容易に得ることができる。
【００１４】
この発明の好ましい態様において、矢印の近傍にリ、サ、イ、クルの各文字、叉は１、２、３、４の各数字をそれぞれ一個毎順番に表示するので、文字や数字の順番に従うだけで間違いなく容易に切断順番が理解できるので、請求項２の効果と同様の効果を確実且つ容易に得ることができる。
【００１５】
この発明の好ましい態様において、縦シール部に固着する側面に表示される点線は側面の端部に沿って備える無印刷領域に表示するので、紙容器に描かれたデザイン等に干渉することないので、紙容器の品質性が保持できて、請求項１乃至請求項３のいずれか一項の効果と同様の効果を確実且つ容易に得ることができる。
【００１６】
この発明の好ましい態様において、点線を印刷した無印刷領域を無印刷領域の近傍の色と同等色で引き剥がし容易なフィルムで覆うので、紙容器の内溶液を消費するまではフィルムによって点線が隠れるので、紙容器の側面のデザイン性が損なわれないため紙容器の製品価値を保持することができる。そして、内溶液の消費後にフィルムを引き剥がすと点線が現れてリサイクル作業が容易にできるので、請求項４の効果と同様の効果を確実且つ容易に得ることができる。
【図面の簡単な説明】
【００１７】
【図１】本発明の第一の実施形態における、内容液Ｗが充填された屋根型紙容器１の表面に、切断位置を示す点線Ｐと、切断方向表示の矢印Ｑと、切断順番表示Ｒを示す数字とを表記した状態を示す斜視図である。
【図２】本発明の第一の実施形態における、屋根型紙容器１の側面６ｄに表示される容器展開説明７の詳細図である。
【図３】本発明の第一の実施形態における、屋根型紙容器１を形成する包材２に切断位置を示す点線Ｐと、切断方向表示の矢印Ｑと、切断順番表示Ｒを示す数字が形成された状態を示す平面図である。
【図４】本発明の第一の実施形態における、図１のＡ−Ａ詳細矢視図で、頂面５のシール部５ａが開いた状態を示す斜視図である。
【図５】本発明の第一の実施形態における、底部４を折畳んで形成する状態を示す斜視図である。
【図６】本発明の第一の実施形態における、底部４が折畳んで形成された状態を示す斜視図である。
【図７】本発明の第一の実施形態における、屋根型紙容器１の側面に表示された容器展開説明７に従って屋根型紙容器１を切断展開した状態を示す平面図である。
【図８】本発明の第二の実施形態における、切断位置を示す点線Ｐ１、切断方向表示の矢印Ｑ、切断順番表示Ｒが、それぞれ帯状部６ｅに表記され、頂面５のシール部５ａが開いた状態を示す斜視図である。
【図９】従来例における、４側面２１と頂部２２と底部２４からなる屋根型紙容器２０の状態を示す斜視図である。
【発明を実施するための形態】
【００１８】
以下、本発明の実施の形態について図面を参照しながら詳細に説明する。
＜本発明の第一の実施形態＞
＜切断展開表示を備える屋根型紙容器の構成＞
【００１９】
図１、図２、図３、図４に示すように、紙容器１はシート状の紙基材で成る包材２を帯状の縦シール部３で矩形筒状にした後、下部を折畳んで底部４を形成し、牛乳やジュース等の液体食品Ｗを充填した後に上部を折畳んで屋根型の頂部５と側面６（６ａ、６ｂ、６ｃ、６ｄ）が形成される。より詳しくは、包材２の側面６ｄに連結する帯状部６ｅが側面６ａに固着し縦シール部３を形成して矩形形筒状に成り、頂部５を折込み上部５ａで固着して屋根型に形成される。
【００２０】
なお、包材２の表裏面に低密度ポリエチレン樹脂の熱可塑性材料層を備えるので当該部を加熱溶融して圧着することで容易に屋根型紙容器１が形成できる。包材２は内面側にバリヤー層としてアルミ箔等を備えることもある。
【００２１】
側面６ｄに紙容器を飲用後に廃棄する際の容器展開説明７が設けられ、紙容器をリサイクルする際にシート状に切り開いて平らにする方法が掲示されている。その内容は、左側部にリサイクルロゴマーク８が、一対の回転する形状の矢印に挟まれた「紙パック」の文字と、矢印の下方に「洗って開いてリサイクル」の文字を備える。中央部には作業手順９として(1)洗って、(2)開いて、(3)乾かして、の文字を備える。右側部に紙容器を展開した状態の概略平面図１０が表示される。
【００２２】
紙基材２は屋根型紙容器１の成型を容易に行うために溝状の折曲線１１、１２、１３を備える。縦線の折曲線１１は包材２を断面矩形の筒状に折り曲げ形成する位置に４本、横線の折曲線１２（１２ａ、１２ｂ、１２ｃ）は頂部５と側部６と底部４をそれぞれ区分する位置に設けられる。頂部５は封止部５ａと斜部５ｂから成る。側面６ｂ、６ｄに連続する底部４と斜部５ｂにはそれぞれ一対の斜線１３が形成される。なお、底面４と帯状部６ｅには印刷を施さない。
【００２３】
この屋根型紙容器１に切断展開表示１４を備え、切断展開表示１４は切断位置表示の点線Ｐと、切断方向表示の矢印Ｑと、切断順位表示Ｒを示す数字と、で構成される。
【００２４】
側面６ａから隣接する屋根部５ｂに亘る側端部に帯状の無印刷領域Ｓが設けられる。この無印刷領域Ｓに点線Ｐ１が頂面５のシール部５ａを除く屋根部５ｂから側面６ａの下端の横線１２ｃに至って表示される。さらに、シール部５ａには点線Ｐ１の延長線上に切断方向表示Ｑとしての「矢印↓」と、この「矢印↓」に沿って切断順番表示Ｒを示す数字「１」がそれぞれ印刷される。
【００２５】
次に、側面６ａに連続する底部４ａに、横線１２ｃに沿って点線Ｐ２が表示され、点線Ｐ２は点線Ｐ１から連続すると同時に、その始端部に切断方向表示Ｑとしての「矢印→」と、この「矢印→」に沿って切断順番表示Ｒを示す数字「２」がそれぞれ印刷される。
【００２６】
同様に、底部４ａには、点線Ｐ１の延長上に点線Ｐ３が表示されると同時に、その始端部に切断方向表示Ｑとしての「矢印↓」と、この「矢印↓」に沿って切断順番表示Ｒを示す数字「３」がそれぞれ印刷される。
【００２７】
さらに、側面６ｃと連続する底部４ｃに、横線１２ｃに沿って点線Ｐ４が表示され、この点線Ｐ４は側面６ｄ近傍で切断方向表示Ｑとしての「矢印←」と、この「矢印←」に沿って切断順番表示Ｒを示す数字「４」がそれぞれ印刷される。この数字「４」の「矢印←」の基部から点線Ｐ５が縦線１１に沿って下方端近傍まで表示される。
【００２８】
図５、図６に示すように、図示しない充填機に畳んだ状態で供給された筒状包材を縦線１１に沿って断面矩形に広げ、下部の対向する面４ｂ、面４ｄが斜線１３に沿ってそれぞれ折畳まれた後に他の対向する面ａ、面４ｃが重なって底部４が形成される。
【００２９】
底部４には、三辺の外周縁に沿って点線Ｐ２、Ｐ３、Ｐ４が表示され、三辺にそれぞれ表示される点線Ｐ２、Ｐ３、Ｐ４の始点近傍に切断方向表示Ｑとしての矢印と切断方向表示Ｒとしての数字が表示される。より詳しくは、底部４は矩形の筒状部の一対の対向する面４ｂ、面４ｄを折込んだ後、他の一対の対向する面４ａ、面４ｃを被せて固着形成する際に、パネル４ｃの外側にパネル４ａが重なるので点線Ｐ３が点線Ｐ５の一部分に重なって外見視一本の点線Ｐ３となる。
【００３０】
＜切断展開表示を備える屋根型紙容器の作用＞
【００３１】
内溶液の消費後に紙容器に表示された１、２、３、４の各数字の順番で各点線Ｐ１、Ｐ２、Ｐ３、Ｐ４を矢印Ｑで示す方向に順次切ると、図７に示すように、紙容器は容器展開説明部７に表示された展開図１０と同様の形状に確実且つ容易に展開できる。
【００３２】
紙容器は切り広げて平板状になり最小体積の状態になるので、嵩張らずリサイクルが確実且つ容易であり資源再利用の効率が格段に向上する。このように、消費者が紙容器そのものを見て容器展開方法が確実且つ容易に理解できるのでリサイクルが促進し効果を上げることができる。
＜本発明の第二の実施形態＞
【００３３】
図８に示すように、点線Ｐ１、矢印Ｑ、切断順番表示Ｒが縦シール部３に隣接する帯状部６ｅにおける側面６ｄの近傍領域Ｔに形成される。この場合、近傍領域Ｔは実質的に側面６ａの一部であるが、本発明の第一の実施形態に比べると点線Ｐ１を切断する際に側面６ａを切断する必要がないので切り易くなりリサイクル作業性が向上する。
【００３４】
以上、本発明の実施例を図面に基づいて説明したが、具体的な構成はこの実施例に限られるものではなく本発明の要旨を逸脱しない範囲の設計変更等があっても本発明に含まれる。たとえば、平屋根型の紙容器に対しても適用できる。１，２，３，４の数字に代えて、リ、サ、イ、クルの各文字を宛がうこともできる。点線Ｐ１を印刷した領域を引き剥がし容易で近傍と同等色の着色フィルムで覆って、リサイクル時点で着色フィルムを剥がし点線Ｐ１を露出することもできる。着色フィルムを貼着する代わりに着色フィルム形成用液を塗布してその溶剤を乾燥除去することで着色フィルムを形成する方法でもよい。
【００３５】
なお、本発明は前記実施の形態に限定されるものではなく、本発明の趣旨に基づいて種々変形させることが可能であり、それらを本発明の範囲から排除するものではない。
【産業上の利用可能性】
【００３６】
この発明は、液体食品の包装充填の製造に適用することができる。
【符号の説明】
【００３７】
１  屋根型紙容器
４ａ  底部
４ｃ  底部
５  頂面
５ａ  シール部
６ａ  側面
６ｃ  側面
Ｐ  点線
Ｐ１  点線
Ｐ２  点線
Ｐ３  点線
Ｐ４  点線
Ｑ  切断方向表示
Ｒ  切断順位表示
Ｓ  無印刷領域
【図１】
2013136386.tif 000003
【図２】
2013136386.tif 000004
【図３】
2013136386.tif 000005
【図４】
2013136386.tif 000006
【図５】
2013136386.tif 000007
【図６】
2013136386.tif 000008
【図７】
2013136386.tif 000009
【図８】
2013136386.tif 000010
【図９】
2013136386.tif 000011